【手続補正書】
【提出日】平成25年7月24日(2013.7.24)
【手続補正１】
【補正対象書類名】明細書
【補正対象項目名】発明の名称
【補正方法】変更
【補正の内容】
【発明の名称】表示制御システム、表示制御装置、プログラム、及び、コントローラ
【手続補正２】
【補正対象書類名】明細書
【補正対象項目名】０００１
【補正方法】変更
【補正の内容】
【０００１】
本発明は、表示制御システム、表示制御装置、プログラム、及び、コントローラに関する。
【手続補正３】
【補正対象書類名】明細書
【補正対象項目名】０００５
【補正方法】変更
【補正の内容】
【０００５】
本発明は、上記点に鑑みてなされたものであり、操作が直感的な、表示制御システム、表示制御装置、プログラム、及び、コントローラを提供することを目的とする。
【手続補正４】
【補正対象書類名】明細書
【補正対象項目名】０００６
【補正方法】変更
【補正の内容】
【０００６】
（１）本発明の第１の観点に係る表示制御システムは、
操作部の一面に形成された検出領域を有し、前記検出領域における接触物との接触位置を検出する接触位置検出手段と、
前記操作部の向きを検出する向き検出手段と、
前記接触位置検出手段が検出した前記接触位置と前記向き検出手段が検出した前記操作部の向きとを出力する出力手段と、
前記出力手段が出力した前記接触位置及び前記操作部の向きに基づいて表示部が表示する表示画面上における表示位置を特定し、特定した前記表示位置に前記表示画面の要素である所定の表示画像を表示する表示制御手段と、
を備えることを特徴とする。
（２）本発明の第２の観点に係る表示制御装置は、
操作部の一面に形成された検出領域を有し、前記検出領域における接触物との接触位置を検出する接触位置検出手段と、前記操作部の向きを検出する向き検出手段と、前記接触位置検出手段が検出した前記接触位置と前記向き検出手段が検出した前記操作部の向きとを出力する出力手段と、を備えるコントローラが出力した前記接触位置及び前記操作部の向きが入力される表示制御装置であって、
前記接触位置及び前記操作部の向きに基づいて、表示部が表示する表示画面上における表示位置を特定し、特定した前記表示位置に前記表示画面の要素である所定の表示画像を表示する表示制御手段を備える、
ことを特徴とする。
（３）本発明の第３の観点に係るプログラムは、
操作部の一面に形成された検出領域を有し、前記検出領域における接触物との接触位置を検出する接触位置検出手段と、前記操作部の向きを検出する向き検出手段と、前記接触位置検出手段が検出した前記接触位置と前記向き検出手段が検出した前記操作部の向きとを出力する出力手段と、を備えるコントローラが出力した前記接触位置及び前記操作部の向きが入力されるコンピュータに、
前記接触位置及び前記操作部の向きに基づいて、表示部が表示する表示画面上における表示位置を特定し、特定した前記表示位置に前記表示画面の要素である所定の表示画像を表示するステップ、
を行わせることを特徴とする。
（４）本発明の第４の観点に係るコントローラは、
操作部の一面に形成された検出領域を有し、前記検出領域における接触物との接触位置を検出する接触位置検出手段と、
前記操作部の向きを検出する向き検出手段と、
所定の表示制御部によって、前記接触位置と前記操作部の向きとに基づいて表示部が表示する表示画面上における表示位置を特定し、特定した前記表示位置に前記表示画面の要素である所定の表示画像を表示可能なように、前記接触位置検出手段が検出した前記接触位置と前記向き検出手段が検出した前記操作部の向きとを出力する出力手段と、
を備えることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明に係る、表示制御システム、表示制御装置、プログラム、及び、コントローラによれば、ユーザは直感的な操作を行うことができる。
【手続補正９】
【補正対象書類名】特許請求の範囲
【補正対象項目名】全文
【補正方法】変更
【補正の内容】
【特許請求の範囲】
【請求項１】
操作部の一面に形成された検出領域を有し、前記検出領域における接触物との接触位置を検出する接触位置検出手段と、
前記操作部の向きを検出する向き検出手段と、
前記接触位置検出手段が検出した前記接触位置と前記向き検出手段が検出した前記操作部の向きとを出力する出力手段と、
前記出力手段が出力した前記接触位置及び前記操作部の向きに基づいて表示部が表示する表示画面上における表示位置を特定し、特定した前記表示位置に前記表示画面の要素である所定の表示画像を表示する表示制御手段と、
を備えることを特徴とする表示制御システム。
【請求項２】
前記表示制御手段は、前記操作部の向きに対応した方向における前記接触位置に応じた表示位置を特定する、
ことを特徴とする請求項１に記載の表示制御システム。
【請求項３】
前記操作部と前記表示部とはそれぞれが独立した筐体に設けられている
ことを特徴とする請求項１又は２に記載の表示制御システム。
【請求項４】
前記表示制御手段は、前記操作部の向きに応じた応答方向を前記表示画面上で設定するとともに、前記接触位置の変化に応答して、前記所定の表示画像を、設定した前記応答方向に沿って移動させる、
ことを特徴とする請求項１から３のいずれかに記載の表示制御システム。
【請求項５】
前記表示画面は、前記表示画面の要素である複数の表示要素を含み、
前記表示制御手段は、前記複数の表示要素のうちのいずれかを選択対象として表示し、
前記表示制御手段は、前記操作部の向きに応じた方向に沿って、前記複数の表示要素を配列し、前記接触位置の変化に応じて選択対象を変更することで、前記選択対象を前記所定の表示画像として前記表示位置に表示する、
ことを特徴とする請求項１から３のいずれかに記載の表示制御システム。
【請求項６】
前記表示画面は、前記表示画面の要素である複数の表示要素を含み、
前記表示制御手段は、前記複数の表示要素のうちのいずれかを選択対象として表示し、
前記複数の表示要素は、複数のグループ毎に配列され、
前記表示制御手段は、前記複数のグループの中の前記操作部の向きに対応する１つのグループ内において、前記接触位置の変化に応じて選択対象を変更することで、前記選択対象を前記所定の表示画像として前記表示位置に表示する、
ことを特徴とする請求項１から３のいずれかに記載の表示制御システム。
【請求項７】
前記表示画面は、前記表示画面の要素である複数の表示要素を含み、
前記表示制御手段は、前記複数の表示要素のうちのいずれかを選択対象として表示し、
前記表示制御手段は、前記複数の表示要素のうち、前記操作部の向きに対応した方向に配列されている複数の表示要素の中で、前記接触位置の変化に応じて選択対象を変更することで、前記選択対象を前記所定の表示画像として前記表示位置に表示する、
ことを特徴とする請求項１から３のいずれかに記載の表示制御システム。
【請求項８】
前記表示画面は、前記表示画面の要素である複数の表示要素を含み、
前記表示制御手段は、前記複数の表示要素のうちのいずれかを選択対象として表示し、
前記複数の表示要素は、複数のグループ毎に配列され、
前記表示制御手段は、前記操作部の向きが第１の方向である場合には、前記接触位置をグループの選択に用い、前記操作部の向きが第２の方向である場合には、選択されている前記グループにおいて、前記接触位置の変化に応じて選択対象を変更することで、前記選択対象を前記所定の表示画像として前記表示位置に表示する、
ことを特徴とする請求項１から３のいずれかに記載の表示制御システム。
【請求項９】
前記表示画面は、前記表示画面上の要素である複数の表示要素を含み、
前記表示制御手段は、前記操作部の向きによって異なる順序で、前記複数の表示要素を配列し、前記接触位置の変化に応じて選択対象を変更することで、前記選択対象を前記所定の表示画像として前記表示位置に表示する、
ことを特徴とする請求項１から３のいずれかに記載の表示制御システム。
【請求項１０】
前記操作部と前記表示部との相対位置の変化を検出する相対位置変化検出手段を備え、
前記表示画面は、前記表示画面の要素である複数の表示要素を含み、
前記表示制御手段は、前記複数の表示要素のうちのいずれかを選択対象として表示し、
前記複数の表示要素は、複数のグループ毎に配列され、
前記表示制御手段は、前記相対位置変化検出手段が検出した前記相対位置の変化に応じて前記複数のグループの中の１つのグループを選択し、選択した前記グループ内において、前記接触位置の変化に応じて選択対象を変更することで、前記選択対象を前記所定の表示画像として前記表示位置に表示する、
ことを特徴とする請求項１から３のいずれかに記載の表示制御システム。
【請求項１１】
前記操作部と前記表示部との距離を検出する距離検出手段を備え、
前記表示制御手段は、前記距離検出手段が検出した前記距離に応じて異なる変化度で前記表示画面の表示内容を変化させる、
ことを特徴とする請求項１から９のいずれかに記載の表示制御システム。
【請求項１２】
前記表示制御手段は、前記操作部の向きに応じて異なる変化度で前記表示画面の表示内容を変化させる、
ことを特徴とする請求項１から１１のいずれかに記載の表示制御システム。
【請求項１３】
操作部の一面に形成された検出領域を有し、前記検出領域における接触物との接触位置を検出する接触位置検出手段と、前記操作部の向きを検出する向き検出手段と、前記接触位置検出手段が検出した前記接触位置と前記向き検出手段が検出した前記操作部の向きとを出力する出力手段と、を備えるコントローラが出力した前記接触位置及び前記操作部の向きが入力される表示制御装置であって、
前記接触位置及び前記操作部の向きに基づいて、表示部が表示する表示画面上における表示位置を特定し、特定した前記表示位置に前記表示画面の要素である所定の表示画像を表示する表示制御手段を備える、
ことを特徴とする表示制御装置。
【請求項１４】
操作部の一面に形成された検出領域を有し、前記検出領域における接触物との接触位置を検出する接触位置検出手段と、前記操作部の向きを検出する向き検出手段と、前記接触位置検出手段が検出した前記接触位置と前記向き検出手段が検出した前記操作部の向きとを出力する出力手段と、を備えるコントローラが出力した前記接触位置及び前記操作部の向きが入力されるコンピュータに、
前記接触位置及び前記操作部の向きに基づいて、表示部が表示する表示画面上における表示位置を特定し、特定した前記表示位置に前記表示画面の要素である所定の表示画像を表示するステップ、
を行わせることを特徴とするプログラム。
【請求項１５】
操作部の一面に形成された検出領域を有し、前記検出領域における接触物との接触位置を検出する接触位置検出手段と、
前記操作部の向きを検出する向き検出手段と、
所定の表示制御部によって、前記接触位置と前記操作部の向きとに基づいて表示部が表示する表示画面上における表示位置を特定し、特定した前記表示位置に前記表示画面の要素である所定の表示画像を表示可能なように、前記接触位置検出手段が検出した前記接触位置と前記向き検出手段が検出した前記操作部の向きとを出力する出力手段と、
を備えることを特徴とするコントローラ。